(57)【要約】【課題】板塀を設置する現場での作業をできるだけ軽減し、設置手順も簡単で、且つ作業員が単独でも板塀を組み立てることができる板塀用パネルを提供する。【解決手段】板塀用パネル１は、四角筒形状を有して上下方向に伸長する補強材２と、補強材２の一面に直交する方向で取り付けられ、且つ上下方向に互いに所定間隔を有して並設される複数枚の板材３と、を備える。複数枚の板材３の左端側及び右端側の少なくとも一方には、立設された支柱６に板材３を固定するビス６ａを挿し込むためのビス用穴部３ｂが形成されている。この板塀用パネル１を用いることで、板塀を設置する現場での作業をできるだけ軽減し、設置手順も簡単で、且つ作業員が単独で板塀を組み立てることができる。【選択図】図５
0003233488.tif 000002
【実用新案登録請求の範囲】
【請求項１】
板塀に用いる板塀用パネルであって、
四角筒形状を有して上下方向に伸長する補強材と、
前記補強材の一面に直交する方向で取り付けられ、且つ上下方向に互いに所定間隔を有して並設される複数枚の板材と、を備え、
前記複数枚の板材の左端側及び右端側の少なくとも一方には、立設された支柱に前記板材を固定するビスを挿し込むためのビス用穴部が形成されている、ことを特徴とする板塀用パネル。
【請求項２】
前記補強材の下端は、最も下側に取り付けられた前記板材の底辺より下方に突出し、
前記補強材の上端は、最も上側に取り付けらえた前記板材の上辺と同じ高さとなる、ことを特徴とする請求項１記載の板塀用パネル。
【請求項３】
前記板塀用パネルは、さらに、上下方向に沿って前記補強材を連結するため、前記補強材の開口に着脱可能に挿入されるジョイント金具を有し、
当該ジョイント金具は、水平断面がコの字形状を有するコの字金具であって、その一面の上下端側には、前記板材を前記補強材に対して固定する際に使用されるビスのネジ部が挿通可能となる凹部が形成される、ことを特徴とする請求項１又は２記載の板塀用パネル。
【請求項４】
前記板塀用パネルは、さらに、
最も下側に取り付けられた前記板材の底辺を載置するため、前記支柱に予めネジ止め固定される下受け金具を有し、
当該下受け金具は、前記支柱にネジ止めするためのネジ穴を有した第一面及び当該第一面に直交する第二面を有し、前記板材の底辺は、当該第二面の上面に載置される、ことを特徴とする請求項１乃至３の何れか一項に記載の板塀用パネル。
【請求項５】
前記板材は、芯材として金属材を有する、ことを特徴とする請求項１乃至４の何れか一項に記載の板塀用パネル。
【考案の詳細な説明】
【技術分野】
【０００１】
本考案は、一般住宅などの板塀を組み立てる際に用いる板塀用パネルに関する。
【背景技術】
【０００２】
従来より、家や敷地などにおいて、区画、目隠しや侵入防止などの目的で塀が設けられており、ブロック塀や、木材を用いた板塀、レンガを用いたレンガ塀などが広く一般的に用いられている。ブロック塀は、重量感があるが殺風景となり、また、地震などの際に倒壊する虞がある。木材による板塀は、木目に味が出たり風合いを感じやすい外観となる一方、耐久性が弱く、腐朽、害虫被害や日焼けなどの問題がある。
【０００３】
近年においては、例えば、ポリエチレン樹脂に木粉を混合して表面を高密度ポリエチレン樹脂でコーティングした複層合成木材とすることで、天然木のような風合いと共に、高耐候性及び高強度を実現した板塀用材が販売されている（例えば、非特許文献１参照）。
【０００４】
また、樹脂素材の欠点である気温による伸縮や経年劣化を緩和する目的で、芯材として充分な強度を有する金属材（例えばアルミ材）を用いて、気温によって伸縮することを防止した板塀用材も販売されている（例えば、非特許文献１参照）。さらに、災害に強く、設置時に高度な技術を必要としない化粧板をコンクリートで結合させた板塀も開示されている（例えば、特許文献１参照）。
【先行技術文献】
【特許文献】
【０００５】
【特許文献１】特開2005-256373号公報
【非特許文献】
【０００６】
【非特許文献１】“PLAD（登録商標）（グローベン株式会社）”[令和３年４月２２日検索]、インターネット＜ＵＲＬ：http://www.globen.co.jp/product/garden/plad.html＞
【考案の概要】
【考案が解決しようとする課題】
【０００７】
しかしながら、上述のような板塀用材を用いて板塀を設置する際には、一枚一枚の板塀用材を、対応する支柱の位置にあてがいつつビス固定したり、キャップなどの多くの部品を取り付ける必要があり、現場で相当の作業数、複数の作業員を要する。
【０００８】
また、板塀用材に固定用のビスを挿すには、専用の穴開け治具を用いて、正確な位置にビスを打ち込む作業が必要となる。また上述のような芯材に高強度の金属材を用いる板材を固定する場合には金属層の穴開けが必要となり、現場での作業に手間を要し、その結果、相当の設置時間がかかるという問題もある。
【０００９】
さらに、実際の作業現場においては、アルミ芯材を有する板塀用材を用いた場合、ビス用穴を開けた後にはアルミを含む大量のゴミが発生して、この金属を含むゴミが散らばることも問題視されている。
【００１０】
本考案は、上記課題に鑑みてなされたものであり、板塀を設置する現場での作業をできるだけ軽減し、設置手順も簡単で、且つ作業員が単独でも板塀を組み立てることができる板塀用パネルを提供することを目的とする。
【課題を解決するための手段】
【００１１】
上記目的を達成するために本考案は、板塀に用いる板塀用パネルであって、四角筒形状を有して上下方向に伸長する補強材と、前記補強材の一面に直交する方向で取り付けられ、且つ上下方向に互いに所定間隔を有して並設される複数枚の板材と、を備え、前記複数枚の板材の左端側及び右端側の少なくとも一方には、立設された支柱に前記板材を固定するビスを挿し込むためのビス用穴部が形成されていることを特徴とするものである。
【００１２】
この板塀用パネルにおいて、前記補強材の下端は、最も下側に取り付けられた前記板材の底辺より下方に突出し、前記補強材の上端は、最も上側に取り付けらえた前記板材の上辺と同じ高さとなることが好ましい。
【００１３】
この板塀用パネルにおいて、前記板塀用パネルは、さらに、上下方向に沿って前記補強材を連結するため、前記補強材の開口に着脱可能に挿入されるジョイント金具を有し、当該ジョイント金具は、水平断面がコの字形状を有するコの字金具であって、その一面の上下端側には、前記板材を前記補強材に対して固定する際に使用されるビスのネジ部が挿通可能となる凹部が形成されることが好ましい。
【００１４】
この板塀用パネルにおいて、前記板塀用パネルは、さらに、最も下側に取り付けられた前記板材の底辺を載置するため、前記支柱に予めネジ止め固定される下受け金具を有し、当該下受け金具は、前記支柱にネジ止めするためのネジ穴を有した第一面及び当該第一面に直交する第二面を有し、前記板材の底辺は、当該第二面の上面に載置されることが好ましい。
【００１５】
この板塀用パネルにおいて、前記板材は、芯材として金属材を有することが好ましい。
【考案の効果】
【００１６】
本考案に係る板塀用パネルは、四角筒形状を有して上下方向に伸長する補強材と、この補強材の一面に直交する方向で取り付けられ、且つ上下方向に互いに所定間隔を有して並設される複数枚の板材と、を備える。複数枚の板材の左端側及び右端側の少なくとも一方には、立設された支柱に板材を固定するビスを挿し込むためのビス用穴部が形成されている。この構成により、本考案の板塀用パネルは、板塀を設置する現場での作業をできるだけ軽減し、設置手順も簡単で、且つ作業員が単独でも板塀を組み立てることができる。
【図面の簡単な説明】
【００１７】
【図１】（ａ）本考案の実施の形態に係る板塀用パネルの平面図、（ｂ）同上板塀用パネルの背面図、（ｃ）同上板塀用パネルの右側面図、（ｄ）同上板塀用パネルの正面図である。
【図２】同上板塀用パネルの斜視図である。
【図３】（ａ）同上板塀用パネルを取り付ける支柱に備わる下受け金具の斜視図、（ｂ）同上下受け金具の正面図、（ｃ）同上下受け金具の左側面図である。
【図４】（ａ）同上板塀用パネルに備わるジョイント金具の斜視図、（ｂ）同上ジョイント金具の正面図、（ｃ）同上ジョイント金具の平面図である。
【図５】同上板塀用パネルの支柱への設置工程を説明するための図である。
【図６】（ａ）及び（ｂ）同上板塀用パネルの支柱への設置工程を説明するための図である。
【図７】（ａ）及び（ｂ）同上板塀用パネルの支柱への設置工程を説明するための図である。
【図８】同上板塀用パネルの支柱への設置工程を説明するための図である。
【図９】（ａ）及び（ｂ）同上板塀用パネルの設置完了後の背面図である。
【図１０】（ａ）同上板塀用パネルを用いた板塀の正面図、（ｂ）同上板塀の平面図、（ｃ）同上板塀の左側面図である。
【考案を実施するための形態】
【００１８】
（実施の形態）
本考案の実施の形態に係る板塀用パネルについて図面を参照して説明する。最初に、本実施の形態に係る板塀用パネルの構造に関して図１乃至図４を参照しながら説明する。この板塀用パネル１は、地面などから立設された支柱前面に固定されることで、連続する板塀（板フェンス）となる。なお、板塀は、家や敷地などにおいて、他との境界に設置する囲いであって、区画、目隠し、侵入防止の目的で設けられる。
【００１９】
板塀用パネル１は、図１及び図２に示すように、補強材２及び複数枚の板材３を備える。補強材２は、四角筒形状（多角筒形状であれば良い）を有して上下方向に伸長しており、例えばアルミニウムなどの金属材で構成される。
【００２０】
板材３は、補強材２の一面に直交する方向に沿ってビス３ａ（小ネジ）などで取り付けられ、且つ上下方向に互いに所定間隔を有して並設される。この板材３の左端側及び右端側の少なくとも一方には、板材３を立設された支柱（後述の図５に示す）に固定するためにビスを挿し込むビス用穴部３ｂが形成されている。図１においては、板材３の左端側及び右端側の両側にタップ下穴径４．５ｍｍ程度の複数のビス用穴部３ｂが形成され、夫々の板材３は例えばＨ１０５ｍｍ，Ｗ１９９９ｍｍ、Ｄ１３ｍｍ程度の大きさを有し、互いに１０ｍｍの隙間間隔を有して複数枚が並設されている。
【００２１】
そして、板塀用パネル１の補強材２の下端は、最も下側に取り付けられた板材３の底辺より下方に突出し（本実施の形態では１０ｍｍ下方に突出）、補強材２の上端は、最も上側に取り付けらえた板材３の上辺と同じ高さとなる。
【００２２】
板材３は、表面材としてポリエチレン樹脂に木粉を混合したものを使用し、天然木目フェンスのような外観を実現すると共に、板材３の芯材３ｃには充分な強度を有したアルミ材（金属材）を採用し、樹脂素材の欠点である気温による伸縮や経年劣化を緩和している。また、板材３の内部に長手方向に沿った芯材３ｃを内部に有することで、強度が増すだけではなく、気温による伸縮がほとんどなくなり、長期間に亘って素材の安定性を保持できる。その結果、本実施の形態に係る板塀用パネル１を用いる場合には、伸縮を考慮して板材３の突合せ部分に隙間を開けて連結カバー用板材で隠すなどの処置が必要ではない。なお、実際の施工時においては、板材３の内部の芯材３ｃが見えないように、断面部は同色の専用キャップで被われる。
【００２３】
板塀用パネル１のサイズは、様々に調整が可能であり、板材３が５枚仕様の場合には例えばＷ１９９９ｍｍ、Ｈ５７５ｍｍ、Ｄ１３ｍｍ、板材３が４枚仕様の場合には例えばＷ１９９９ｍｍ  Ｈ４６０ｍｍ、Ｄ１３ｍｍである。例えば、５枚仕様の板塀用パネル１を上下２段に連結することでＨ１１５０ｍｍ、上下３段に連結することでＨ１７１５ｍｍの板塀を施工できる。また、Ｈ５７５ｍｍを３段でＨ１７２５ｍｍ、Ｈ４６０ｍｍを２段とＨ５７５ｍｍを１段でＨ１４９５ｍｍと、Ｈ１８００ｍｍ程度やＨ１５００ｍｍ程度が板塀用パネル１の組み合わせを変えるだけで設置可能となる。
【００２４】
板塀用パネル１は、施工作業を容易化するための付属品として、図３に示すように、最も下側に取り付けられた板材３を載置するため、支柱に予めネジ止め固定される下受け金具４を有している。この下受け金具４は、支柱にネジ止めするためのネジ穴４ａを有した第一面４ｂ及び第一面４ｂに直交する第二面４ｃを有し、第二面４ｃの上面に板材３の底辺が載置される。下受け金具４の大きさは、例えばＨ１０ｍｍ、Ｗ６０ｍｍ、Ｄ１０ｍｍである。なお、この下受け金具４は、支柱の色と合わせて例えばブロンズ色として、ビスもブロンズ色とすることで、外観の美しい仕上がりに下受け金具４が邪魔をすることが無くなる。
【００２５】
板塀用パネル１は、さらに、施工作業を容易化するための付属品として、上下方向に沿って補強材２を連結するため、補強材２の開口２ａに着脱可能に挿入されるジョイント金具５を有する。このジョイント金具５は、図４に示すように、水平断面がコの字形状を有するコの字金具であって、その一面の上下端側には、板材３を補強材２に対して固定する際に使用されるビスのネジ部が挿通可能な凹部５ａ，５ｂが形成されている。
【００２６】
次に、板塀用パネル１の設置工程に関して図５乃至図９を参照しながら説明する。ここでは、２セットの板塀用パネル１を上下方向に連結して、Ｈ１１５０ｍｍ、Ｗ２０００ｍｍの板塀を設置する工程に関して説明する。
【００２７】
最初に、図５に示すように、所定間隔（本図では２０００ｍｍ間隔）で地面ＧＬより立設されている支柱６に対して、下側の板塀用パネル１を取り付ける作業を行う。ここで、支柱６は、例えば６０ｍｍ角スチール柱や２３ｍｍ×５０ｍｍのスチール柱であって、その下端側には、下受け金具４が予めネジ止め固定されており、板塀用パネル１を構成する板材３の下端が、この下受け金具４の上面に載置される。そして、作業者は、板塀用パネル１を下受け金具４に載置した状態において、ビス６ａである１〜２本を用いて、板塀用パネル１を支柱６に仮固定する。
【００２８】
次に、図６に示すように、板材３間の所定の隙間間隔（本図では１０ｍｍ）を保つべく、１０ｍｍ間隔となるスペーサ７を板材３間に挿入する。なお、スペーサ７は直方体形状の部材であって、ビス６ａの取り付け時に板材３間の隙間の位置出しに使用されて、板材３の固定後は取り外される。
【００２９】
そして、板材３には既にビス用穴部３ｂが形成されており、現場で専用の穴開け治具を用いて正確な位置にビス６ａを打ち込む作業がなくなり、ビス６ａを各ビス用穴部３ｂに入れて、支柱６までビス６ａを貫通固定すれば良い。このため、板塀用パネル１の支柱６への固定が非常に簡単である。以上で、下側の板塀用パネル１の設置は完了となる。
【００３０】
次に、上側となる板塀用パネル１を下側の板塀用パネル１の上側に連結するが、この際、図７に示すように、下側の板塀用パネル１を構成する補強材２の開口２ａにジョイント金具５を挿入する。ここで、ジョイント金具５は、例えば補強材２の２３×５０ｍｍの内径にフィットするサイズの大きさのものを使用する。なお、図７（ａ）に示すように、ジョイント金具５の一面の上下側に形成された凹部５ａ，５ｂが、板材３を補強材２に取り付ける際に使用されたビス３ａのネジ部に挿通する形状を有している。このジョイント金具５を用いることで、上側の板塀用パネル１の板材３と、下側の板塀用パネル１の板材３との隙間を所定間隔（１０ｍｍ）に保つことができる。
【００３１】
そして、上側の板塀用パネル１の補強材２の下側開口を、ジョイント金具５に挿通する。これによって、上側の板塀用パネル１が仮固定されて落下することがなくなる。そして、図８に示すように、上側の板塀用パネル１の板材３を、ビスを各ビス用穴部３ｂに挿し込むことで支柱６に固定する。なお、図９は、板塀の設置完了時の背面であり、上側の板塀用パネル１及び下側の板塀用パネル１が一体連続していることが分かる。最後に、支柱６や補強材２に専用のキャップを取り付けて施工作業が完成する。実際に行った設置工程では、作業を単独で行った場合でも約１５〜２０分で設置完了した。
【００３２】
図１０は、板塀用パネル１を用いたその他の施工例を示す。図１０に示す板塀は、板材３が５枚仕様の板塀用パネル１を一段、板材３が４枚仕様の板塀用パネル１を２段上下方向に積層して構成され、中央の板塀用パネル１の板材３の両端側には、予めビス用穴部３ｂが形成されている。一方、左右側の板塀用パネル１は、板材３の一端側には予めビス用穴部３ｂが形成され、他端側にはビス用穴部３ｂは形成されていない。これにより、板塀の左右端側の羽出しの長さの調整ができる。
【００３３】
また、板材３の芯材３ｃにアルミ芯を用いることで、板材３自体の強度が増しており、板塀用パネル１を固定するために支柱の本数を従来の半分に減らす（２０００ｍｍピッチにできる）ことができ、作業スピードを向上できる。さらに、図１０に示すように、気温による伸縮が無いため、板材３同士を左右方向に密着させて（例えば約１ｍｍ程度の隙間のみで）設置することが可能となり、その結果、隙間を隠すために表面に固定する連結カバー用板材などが不要となり、板塀を凹凸のない外観の美しい仕上がりにすることができる。
【００３４】
以上のように、本実施の形態に係る板塀用パネル１は、四角筒形状を有して上下方向に伸長する補強材２と、補強材２の一面に直交する方向で取り付けられ、且つ上下方向に互いに所定間隔を有して並設される複数枚の板材３と、を備える。複数枚の板材３の左端側及び右端側の少なくとも一方には、立設された支柱６に板材３を固定するビス６ａを挿し込むためのビス用穴部３ｂが形成されている。この板塀用パネル１を用いることで、板塀を設置する現場での作業をできるだけ軽減し、設置手順も簡単で、且つ作業員が単独で板塀を組み立てることができる。
【００３５】
なお、本考案は、上記実施の形態の構成に限られず、考案の趣旨を変更しない範囲で種々の変形が可能である。例えば、板塀用パネル１のサイズは上記に限定されるものではなく、ユーザ用途に応じて適宜調整可能であることは言うまでもない。
【符号の説明】
【００３６】
１  板塀用パネル
２  補強材
２ａ  開口
３  板材
３ａ  ビス
３ｂ  ビス用穴部
３ｃ  芯材
４  下受け金具
４ａ  ネジ穴
４ｂ  第一面
４ｃ  第二面
５  ジョイント金具
５ａ，５ｂ  凹部
６  支柱
６ａ  ビス
７  スペーサ
【図１】
0003233488.tif 000003
【図２】
0003233488.tif 000004
【図３】
0003233488.tif 000005
【図４】
0003233488.tif 000006
【図５】
0003233488.tif 000007
【図６】
0003233488.tif 000008
【図７】
0003233488.tif 000009
【図８】
0003233488.tif 000010
【図９】
0003233488.tif 000011
【図１０】
0003233488.tif 000012